【手続補正書】
【提出日】平成22年1月20日(2010.1.20)
【手続補正１】
【補正対象書類名】特許請求の範囲
【補正対象項目名】全文
【補正方法】変更
【補正の内容】
【特許請求の範囲】
【請求項１】
（ａ）少なくとも１種の酸性水素を含有するβ−フェニルビニルケトン又はω−フェニルポリアセチレニルケトン及び
（ｂ）塩基
を含む可逆熱変色性系であって、但し該系は本質的にチモールブルーを含まない可逆熱変色性系。
【請求項２】
但し前記系が本質的にフタレイン誘導体を含まない、請求項１記載の可逆熱変色性系。
【請求項３】
前記成分（ａ）が式（Ｉ）
【化１】
2009525357.tif 000001
（式中、
Ｘは、
【化２】
2009525357.tif 000002
又はＣＨＲ7−ＣＯ−Ｒ8を表し、又はＸは炭素原子数１ないし３０のアルキル基、炭素原子数２ないし３０のアルケニル基、炭素原子数２ないし３０のアルキニル基、炭素原子数７ないし１２のアリール基、炭素原子数７ないし１２のアラルキル基、炭素原子数８ない
し１２のアラルケニル基、炭素原子数８ないし１２のアラルキニル基、それらの各々は未置換であるか又は置換され、
ｎは１ないし１０の整数を表し、
Ｒ及びＲ'は独立して、水素原子、炭素原子数１ないし３０のアルキル基、炭素原子数２
ないし３０のアルケニル基、炭素原子数２ないし３０のアルキニル基、炭素原子数６ないし１２のアリール基、炭素原子数７ないし１２のアラルキル基、炭素原子数８ないし１２のアラルケニル基又は炭素原子数８ないし１２のアラルキニル基を表し、
Ｒ1、Ｒ2、Ｒ2'、Ｒ3、Ｒ3'、Ｒ4、Ｒ5、Ｒ5'、Ｒ6及びＲ6'は独立して、水素原子、ヒドロキシ基、炭素原子数１ないし３０のアルキル基、炭素原子数２ないし３０のアルケニル基、炭素原子数２ないし３０のアルキニル基、炭素原子数６ないし１２のアリール基、炭素原子数７ないし１２のアラルキル基、炭素原子数８ないし１２のアラルケニル基、炭素原子数８ないし１２のアラルキニル基、ハロゲン原子、ＮＯ2、ＣＮ、ＮＲ9Ｒ10、ＯＲ11、ＳＲ11、Ｓ（＝Ｏ）Ｒ11、Ｓ（＝Ｏ）2Ｒ11、ＣＯ−Ｒ11、ＣＯ−Ｏ−Ｒ11、Ｏ−ＣＯ
−Ｒ11、ＣＯ−ＮＲ9Ｒ10又はＮＲ9−ＣＯ−Ｒ11を表し、該アルキル基、アルケニル基、アルキニル基、アリール基、アラルキル基、アラルケニル基及びアラルキニル基は置換されるか又は未置換であり、
Ｒ7、Ｒ9及びＲ10は独立して、Ｈ又はＲ8に対して定義される通りであり、
Ｒ8及びＲ11は独立して、炭素原子数１ないし３０のアルキル基、炭素原子数２ないし３
０のアルケニル基、炭素原子数２ないし３０のアルキニル基、炭素原子数６ないし１０のアリール基、炭素原子数７ないし１２のアラルキル基、炭素原子数８ないし１２のアラルケニル基、炭素原子数８ないし１２のアラルキニル基を表し、該アルキル基、アルケニル基、アルキニル基、アリール基、アラルキル基、アラルケニル基及びアラルキニル基は置換されるか又は未置換であり、
該置換されたアルキル基、アルケニル基、アルキニル基、アリール基、アラルキル基、アラルケニル基及びアラルキニル基は、ハロゲン原子、ヒドロキシ基、ＮＯ2、ＣＮ、ＣＯ
−Ｒ12、ＣＯＯ−Ｒ12、ＣＯＮＲ13Ｒ14、ＯＣＯ−Ｒ12、ＮＲ13ＣＯ−Ｒ12、ＮＲ13Ｒ14、Ｏ−Ｒ12、Ｓ−Ｒ12、Ｓ（＝Ｏ）−Ｒ12及び／又はＳ（＝Ｏ）2−Ｒ12によって置換さ
れ、又は該置換されたアリール基、アラルキル基、アラルケニル基及びアラルキニル基は炭素原子数１ないし３０のアルキル基、炭素原子数２ないし３０のアルケニル基及び／又は炭素原子数２ないし３０のアルキニル基によって置換され、
Ｒ12は独立して、炭素原子数１ないし３０のアルキル基、炭素原子数２ないし３０のアルケニル基、炭素原子数２ないし３０のアルキニル基、炭素原子数６ないし１２のアリール基、炭素原子数７ないし１２のアラルキル基、炭素原子数８ないし１２のアラルケニル基又は炭素原子数８ないし１２のアラルキニル基を表し、
Ｒ13及びＲ14は独立してＨ又はＲ12に対して定義される通りであり、
但し、Ｒ1、Ｒ3、Ｒ3'、Ｒ4、Ｒ6及びＲ6'のうち少なくとも１つがヒドロキシ基を表すか、又はＸがＣＨＲ7−ＣＯ−Ｒ8を表すか；或いはＲ1、Ｒ3、Ｒ3'、Ｒ4、Ｒ6及びＲ6'のうち少なくとも１つがヒドロキシ基を表すか及びＸがＣＨＲ7−ＣＯ−Ｒ8を表す。）で表される化合物である、請求項１記載の可逆熱変色性系。
【請求項４】
前記塩基（ｂ）が、第二級もしくは第三級アミン又は第二級もしくは第三級ホスフィンであり、前記アミン及び前記ホスフィンは芳香族でなく、及び前記アミン又は前記ホスフィンに直接結合する芳香族置換基を有さない、請求項１記載の可逆熱変色性系。
【請求項５】
式（ＩＩ）ないし（ＶＩ）で表される化合物又はそれらの互変異性体の１種
【化６】
2009525357.tif 000003
【化７】
2009525357.tif 000004
（式中、
Ｒ、Ｒ'、Ｒ1、Ｒ2、Ｒ2'、Ｒ3、Ｒ3'、Ｒ4、Ｒ5、Ｒ5'、Ｒ6、Ｒ6'、Ｒ7、Ｒ8、Ｘ及び
ｎは、請求項３において定義される通りであり、及び
Ｍ+は、アンモニウムカチオン又はホスホニウムカチオンを表し、
但し、
（１）前記アンモニウムカチオン又は前記ホスホニウムカチオンは、芳香族ではなく、及び前記アンモニウムカチオン又は前記ホスホニウムカチオンに直接結合する芳香族置換基を有さず、及び
（２）Ｍ+は、ホスファチジルコリン+とは異なる。）。
【請求項６】
（ｉ）請求項５において定義される式（ＩＩ）ないし（ＶＩ）で表される化合物又はそれらの互変異性体の１種、及び
（ｉｉ）キャリア材料
を含む可逆熱変色性組成物。
【請求項７】
更なる添加剤を含む、請求項６記載の可逆熱変色性組成物。
【請求項８】
更なる添加剤として、抗酸化剤、ＵＶ吸収剤、光安定剤、金属奪活剤、加工安定剤、チオ相乗剤、過酸化物捕捉剤、酸素捕捉剤、塩基性補助安定剤、核剤、充填材、強化剤、防炎加工剤、蛍光増白剤及び／又は付加的な着色剤を含み、
但し、前記付加的な着色剤は熱変色性効果を抑制せず及び遮へいしない請求項７記載の可逆熱変色性組成物。
【請求項９】
式（Ｉ）
【化８】
2009525357.tif 000005
（式中、
Ｘは、
【化９】
2009525357.tif 000006
又はＣＨＲ7−ＣＯ−Ｒ8を表し、又はＸは炭素原子数１ないし３０のアルキル基、炭素原子数２ないし３０のアルケニル基、炭素原子数２ないし３０のアルキニル基、炭素原子数７ないし１２のアリール基、炭素原子数７ないし１２のアラルキル基、炭素原子数８ないし１２のアラルケニル基、炭素原子数８ないし１２のアラルキニル基、それらの各々は未置換であるか又は置換され、
ｎは１ないし１０の整数を表し、
Ｒ及びＲ'は独立して、水素原子、炭素原子数１ないし３０のアルキル基、炭素原子数２
ないし３０のアルケニル基、炭素原子数２ないし３０のアルキニル基、炭素原子数６ないし１２のアリール基、炭素原子数７ないし１２のアラルキル基、炭素原子数８ないし１２のアラルケニル基又は炭素原子数８ないし１２のアラルキニル基を表し、
Ｒ1、Ｒ2、Ｒ2'、Ｒ3、Ｒ3'、Ｒ4、Ｒ5、Ｒ5'、Ｒ6及びＲ6'は独立して、水素原子、ヒドロキシ基、炭素原子数１ないし３０のアルキル基、炭素原子数２ないし３０のアルケニル基、炭素原子数２ないし３０のアルキニル基、炭素原子数６ないし１２のアリール基、炭素原子数７ないし１２のアラルキル基、炭素原子数８ないし１２のアラルケニル基、炭素原子数８ないし１２のアラルキニル基、ハロゲン原子、ＮＯ2、ＣＮ、ＮＲ9Ｒ10、ＯＲ11、ＳＲ11、Ｓ（＝Ｏ）Ｒ11、Ｓ（＝Ｏ）2Ｒ11、ＣＯ−Ｒ11、ＣＯ−Ｏ−Ｒ11、Ｏ−ＣＯ
−Ｒ11、ＣＯ−ＮＲ9Ｒ10又はＮＲ9−ＣＯ−Ｒ11を表し、該アルキル基、アルケニル基、アルキニル基、アリール基、アラルキル基、アラルケニル基及びアラルキニル基は置換されるか又は未置換であり、
Ｒ7、Ｒ9及びＲ10は独立して、Ｈ又はＲ8に対して定義される通りであり、
Ｒ8及びＲ11は独立して、炭素原子数１ないし３０のアルキル基、炭素原子数２ないし３
０のアルケニル基、炭素原子数２ないし３０のアルキニル基、炭素原子数６ないし１０のアリール基、炭素原子数７ないし１２のアラルキル基、炭素原子数８ないし１２のアラルケニル基、炭素原子数８ないし１２のアラルキニル基を表し、該アルキル基、アルケニル基、アルキニル基、アリール基、アラルキル基、アラルケニル基及びアラルキニル基は置換されるか又は未置換であり、
該置換されたアルキル基、アルケニル基、アルキニル基、アリール基、アラルキル基、アラルケニル基及びアラルキニル基は、ハロゲン原子、ヒドロキシ基、ＮＯ2、ＣＮ、ＣＯ
−Ｒ12、ＣＯＯ−Ｒ12、ＣＯＮＲ13Ｒ14、ＯＣＯ−Ｒ12、ＮＲ13ＣＯ−Ｒ12、ＮＲ13Ｒ14、Ｏ−Ｒ12、Ｓ−Ｒ12、Ｓ（＝Ｏ）−Ｒ12及び／又はＳ（＝Ｏ）2−Ｒ12によって置換さ
れ、又は該置換されたアリール基、アラルキル基、アラルケニル基及びアラルキニル基は炭素原子数１ないし３０のアルキル基、炭素原子数２ないし３０のアルケニル基及び／又は炭素原子数２ないし３０のアルキニル基によって置換され、
Ｒ12は独立して、炭素原子数１ないし３０のアルキル基、炭素原子数２ないし３０のアルケニル基、炭素原子数２ないし３０のアルキニル基、炭素原子数６ないし１２のアリール基、炭素原子数７ないし１２のアラルキル基、炭素原子数８ないし１２のアラルケニル基又は炭素原子数８ないし１２のアラルキニル基を表し、
Ｒ13及びＲ14は独立してＨ又はＲ12に対して定義される通りであり、
但し、Ｒ1、Ｒ3、Ｒ3'、Ｒ4、Ｒ6及びＲ6'のうち少なくとも１つがヒドロキシ基を表すか、又はＸがＣＨＲ7−ＣＯ−Ｒ8を表すか；或いはＲ1、Ｒ3、Ｒ3'、Ｒ4、Ｒ6及びＲ6'のうち少なくとも１つがヒドロキシ基を表すか及びＸがＣＨＲ7−ＣＯ−Ｒ8を表す。）で表される化合物（但し、下記の化合物
【化１０】
2009525357.tif 000007
は除く。）。